(57)【要約】      （修正有）【課題】  プロトコルを異にするキャリア網間でのＳＭＳメールの送受信を行えるＳＭＳメールシステムの提供。【解決手段】送信先電話番号に基づいて、その受信端末が属する送信先キャリア網ｂを判定するとともに、キャリア情報データベース１３０から当該送信先キャリア網ｂのプロトコルに関する情報を含む他キャリア情報を取得するキャリア情報取得ステップと、上記他キャリア情報に基づき、ＳＭＳメールを、その送信先のキャリア網ｂのプロトコルにあわせてプロトコル変換して送信するプロトコル変換・送信ステップとから構成される。【選択図】  図２
2007274524.tif 000002
【特許請求の範囲】
【請求項１】
ＳＭＳメールの送信先電話番号に含まれるキャリアコードに基づいて、そのメール受信端末が属するキャリア網を判定するキャリア網判定手段と、
他キャリア網のプロトコルに関する情報を含む他キャリア情報を格納した他キャリア情報データベースと、
上記キャリア網判定手段により上記受信端末が他キャリア網に属すると判定された場合に、上記他キャリア情報に基づき、ＳＭＳメールをその送信先のキャリア網のプロトコルにあわせてプロトコル変換して送信するプロトコル変換・送信手段を備えたことを特徴とするＳＭＳメールシステム。
【請求項２】
上記キャリア網判定手段が、上記送信先電話番号に基づいて、ナンバーポータビリティシステムのもと他キャリア網に移行した移行端末であるか否かを判定する移行判定手段を含み、移行端末である場合、これを上記受信端末として、上記プロトコル変換・送信手段が、上記他キャリア情報データベースに格納された当該受信端末についての他キャリア情報に基づき、ＳＭＳメールをその移行先のキャリア網のプロトコルにあわせてプロトコル変換し送信するようにしてなることを特徴とする請求項１記載のＳＭＳメールシステム。
【請求項３】
上記キャリア網判定手段が、上記送信先電話番号に基づいて、その送信先電話番号の端末のＳＭＳメール転送設定の有無を判定する転送設定判定手段を含み、転送設定がされていた場合、その転送先の端末を上記受信端末としてそのキャリア網を判定することを特徴とする請求項１または２記載のＳＭＳメールシステム。
【請求項４】
上記他キャリア情報データベースに格納された他キャリア情報が、他キャリア網へ移行した各移行端末についての、移行先キャリア網のプロトコルおよびメッセージ表示言語に関する情報を含み、上記プロトコル変換・送信手段が、上記他キャリア情報データベースに格納された当該受信端末についての他キャリア情報に基づき、ＳＭＳメールをその移行先のキャリア網のプロトコルにあわせてプロトコル変換しかつそのメッセージを上記メッセージ表示言語に翻訳して送信するようにしてなることを特徴とする請求項１記載のＳＭＳメールシステム。
【請求項５】
ＳＭＳメールの送信先電話番号に基づいて、その受信端末が属する送信先キャリア網を判定するとともに、他キャリア情報データベースから当該送信先キャリア網のプロトコルに関する情報を含む他キャリア情報を取得するキャリア情報取得ステップと、
上記他キャリア情報に基づき、ＳＭＳメールを、その送信先のキャリア網のプロトコルにあわせてプロトコル変換して送信するプロトコル変換・送信ステップとからなることを特徴とするＳＭＳメール送信方法。
【請求項６】
上記キャリア情報取得ステップにおいて、送信先電話番号に含まれるキャリアコードが自キャリア網を示し、かつ、その受信端末がナンバーポータビリティシステムのもと他キャリア網に移行した移行端末である場合に、その受信端末の電話番号に基づいて、他キャリア情報データベースから当該受信端末の属する他キャリア網のプロトコルに関する情報を含む他キャリア情報を取得することを特徴とする請求項５記載のＳＭＳメール送信方法。
【請求項７】
上記キャリア情報取得ステップにおいて、送信先電話番号に含まれるキャリアコードが自キャリア網を示し、かつ、その送信先電話番号の端末についてＳＭＳメール転送設定が有る場合に、その端末の電話番号に基づいて、他キャリア情報データベースから、転送先として設定された受信端末が属する他キャリア網のプロトコルに関する情報を含む他キャリア情報を取得することを特徴とする請求項５または６記載のＳＭＳメール送信方法。
【請求項８】
上記キャリア情報取得ステップにおいて、送信先電話番号に含まれるキャリアコードが自キャリア網を示し、かつ、その受信端末がナンバーポータビリティシステムのもと他キャリア網に移行した移行端末である場合に、その受信端末の電話番号に基づいて、他キャリア情報データベースから当該受信端末の属する他キャリア網のプロトコルおよびメッセージ表示言語に関する情報を含む他キャリア情報を取得し、上記プロトコル変換・送信ステップにおいて、上記ＳＭＳメールを、上記他キャリア情報に基づき上記他キャリア網のプロトコルにあわせてプロトコル変換するとともにそのメッセージを上記メッセージ表示言語に翻訳して送信することを特徴とする請求項５記載のＳＭＳメール送信方法。
【発明の詳細な説明】
【技術分野】
【０００１】
本発明は、送信先端末の電話番号を利用して文字メッセージを送信する、ＳＭＳ（Short Messaging Service）メールシステムおよびＳＭＳメール送信方法に関する。
【背景技術】
【０００２】
従来、携帯電話キャリア網内の携帯電話端末とＬＡＮ（Local Area Network）上のＬＡＮ端末との間でのメッセージの送受信を可能にするメッセージ通信方法として、上記携帯電話端末から上記ＬＡＮ端末にメッセージを送信するとき、そのＬＡＮ端末を指定して携帯電話端末から通信中継装置へメッセージデータを送信し、通信中継装置において携帯電話端末からのメッセージデータを着信したとき通信プロトコルを変換してメッセージデータをＬＡＮ端末に転送し、逆に、ＬＡＮ端末から携帯電話端末にメッセージを送信するとき、その携帯電話端末を指定してＬＡＮ端末から通信中継装置へメッセージデータを送信し、通信中継装置においてＬＡＮ端末からのメッセージデータを着信したとき通信プロトコルを変換してメッセージデータを携帯電話端末に転送する、というものがあった（特許文献１）。
【０００３】
ところで、従来の携帯電話端末のＳＭＳメールシステムは、各携帯電話事業者（キャリア）のキャリア網ごとに構築されており、その各キャリアがメールサーバとメールゲートウェイ間に独自のプロトコルを使用していたので、異キャリアに属する携帯電話端末間でＳＭＳメールを送受信するには、電話番号に含まれるキャリアコードを利用して、相手先キャリアを特定したうえで、所要のプロトコル変換等の処理を行うことが必要であった。
【特許文献１】特開２００４−２８２２８０号公報
【発明の開示】
【発明が解決しようとする課題】
【０００４】
しかし、携帯電話の加入者が元の電話番号のままで別のキャリアに契約を切り替えることができるナンバーポータビリティシステムが導入された場合、キャリアコードによるキャリア網の特定が出来なくなり、上記のようにＳＭＳメールを異キャリアの携帯電話端末間でやりとりすることができくなる場合が生じる。
【０００５】
このような問題は、送信先携帯電話端末が他のキャリア網に属する端末にＳＭＳメールを転送する設定をしている場合にも生じ得る。
【０００６】
また、海外のキャリア網に移行した端末の場合、ＳＭＳメールをやりとりできるようにするだけでなく、さらに、そのユーザの使用言語等に応じてメッセージの翻訳が自動的に行えると便利である。
【０００７】
そこで本発明は、上記のような問題を解決し、プロトコルを異にするキャリア網間でＳＭＳメールの送受信を行えるようにすること、また、送信先端末のユーザの使用言語等に応じてメッセージを翻訳して送信できるようにすることを課題とする。
【課題を解決するための手段】
【０００８】
請求項１記載の本発明は、＜ａ＞ＳＭＳメールの送信先電話番号に含まれるキャリアコードに基づいて、そのメール受信端末が属するキャリア網を判定するキャリア網判定手段と、＜ｂ＞他キャリア網のプロトコルに関する情報を含む他キャリア情報を格納した他キャリア情報データベース１３０，２３０，３３０と、＜ｃ＞上記キャリア網判定手段により上記受信端末が他キャリア網ｂ，ｄ，ｅに属すると判定された場合に、上記他キャリア情報に基づき、ＳＭＳメールをその送信先のキャリア網ｂ，ｄ，ｅのプロトコルにあわせてプロトコル変換して送信するプロトコル変換・送信手段を備えたＳＭＳメールシステムである。
【０００９】
請求項２記載の本発明は、上記キャリア網判定手段が、上記送信先電話番号に基づいて、ナンバーポータビリティシステムのもと他キャリア網に移行した移行端末であるか否かを判定する移行判定手段を含み、移行端末である場合これを受信端末として、上記プロトコル変換・送信手段が、上記他キャリア情報データベース１３０に格納された当該受信端末１００”についての他キャリア情報に基づき、ＳＭＳメールをその移行先のキャリア網ｂのプロトコルにあわせてプロトコル変換し送信するようにしてなる請求項１記載のＳＭＳメールシステムである。
【００１０】
請求項３記載の本発明は、上記キャリア網判定手段が、上記送信先電話番号に基づいて、その送信先電話番号の端末のＳＭＳメール転送設定の有無を判定する転送設定判定手段を含み、転送設定がされていた場合、その転送先の端末を上記受信端末としてそのキャリア網を判定する請求項１または２記載のＳＭＳメールシステムである。
【００１１】
請求項４記載の本発明は、上記他キャリア情報データベース３３０に格納された他キャリア情報が、他キャリア網へ移行した各移行端末についての、移行先キャリア網のプロトコルおよびメッセージ表示言語に関する情報を含み、上記プロトコル変換・送信手段が、当該受信端末３００”についての他キャリア情報に基づき、ＳＭＳメールをその移行先のキャリア網ｆのプロトコルにあわせてプロトコル変換しかつそのメッセージを上記メッセージ表示言語に翻訳して送信するようにしてなる請求項１記載のＳＭＳメールシステムである。
【００１２】
請求項５記載の本発明は、ＳＭＳメールの送信先電話番号に基づいて、その受信端末１００”，２００’，３００”が属する送信先キャリア網ｂ，ｄ，ｆを判定するとともに、他キャリア情報データベース１３０，２３０，３３０から当該送信先キャリア網ｂ，ｄ，ｆのプロトコルに関する情報を含む他キャリア情報を取得するキャリア情報取得ステップと、上記他キャリア情報に基づき、ＳＭＳメールを、その送信先のキャリア網ｂ，ｄ，ｆのプロトコルにあわせてプロトコル変換して送信するプロトコル変換・送信ステップとからなるＳＭＳメール送信方法である。
【００１３】
請求項６記載の本発明は、上記キャリア情報取得ステップにおいて、送信先電話番号に含まれるキャリアコードが自キャリア網ａを示し、かつ、その受信端末１００”がナンバーポータビリティシステムのもと他キャリア網に移行した移行端末である場合に、その受信端末１００”の電話番号に基づいて、他キャリア情報データベース１３０から当該受信端末１００”の属する他キャリア網ｂのプロトコルに関する情報を含む他キャリア情報を取得する請求項５記載のＳＭＳメール送信方法である。
【００１４】
請求項７記載の本発明は、上記キャリア情報取得ステップにおいて、送信先電話番号に含まれるキャリアコードが自キャリア網ｃを示し、かつ、その送信先電話番号の端末２００’についてＳＭＳメール転送設定が有る場合に、その端末２００’の電話番号に基づいて、他キャリア情報データベース２３０から、転送先として設定された受信端末２００”が属する他キャリア網ｄのプロトコルに関する情報を含む他キャリア情報を取得する請求項５または６記載のＳＭＳメール送信方法である。
【００１５】
請求項８記載の本発明は、上記キャリア情報取得ステップにおいて、送信先電話番号に含まれるキャリアコードが自キャリア網ｅを示し、かつ、その受信端末３００”がナンバーポータビリティシステムのもと他キャリア網に移行した移行端末である場合に、その受信端末３００”の電話番号に基づいて、他キャリア情報データベース３３０から当該受信端末３００”の属する他キャリア網ｆのプロトコルおよびメッセージ表示言語に関する情報を含む他キャリア情報を取得し、上記プロトコル変換・送信ステップにおいて、上記ＳＭＳメールを、上記他キャリア情報に基づき上記他キャリア網ｆのプロトコルにあわせてプロトコル変換するとともにそのメッセージを上記メッセージ表示言語に翻訳して送信する請求項５記載のＳＭＳメール送信方法である。
【発明の効果】
【００１６】
本発明によれば、送信先電話番号に基づいて、ＳＭＳメールを受信すべき受信端末がいずれのキャリア網に属するかを判定し、所要のプロトコル変換をすることにより、キャリア網間のプロトコルの差を吸収してＳＭＳメールを送信できる。
【発明を実施するための最良の形態】
【００１７】
＜ａ＞ＳＭＳメールの送信先電話番号に含まれるキャリアコードに基づいて、そのメール受信端末が属するキャリア網を判定するキャリア網判定手段と、＜ｂ＞他キャリア網のプロトコルに関する情報を含む他キャリア情報を格納した他キャリア情報データベース１３０，２３０，３３０と、＜ｃ＞上記キャリア網判定手段により上記受信端末が他キャリア網ｂ，ｄ，ｅに属すると判定された場合に、上記他キャリア情報に基づき、ＳＭＳメールをその送信先のキャリア網ｂ，ｄ，ｅのプロトコルにあわせてプロトコル変換して送信するプロトコル変換・送信手段を備えたＳＭＳメールシステム。
【００１８】
ＳＭＳメールの送信先電話番号に基づいて、その受信端末１００”，２００’，３００”が属する送信先キャリア網ｂ，ｄ，ｆを判定するとともに、他キャリア情報データベース１３０，２３０，３３０から当該送信先キャリア網ｂ，ｄ，ｆのプロトコルに関する情報を含む他キャリア情報を取得するキャリア情報取得ステップと、上記他キャリア情報に基づき、ＳＭＳメールを、その送信先のキャリア網ｂ，ｄ，ｆのプロトコルにあわせてプロトコル変換して送信するプロトコル変換・送信ステップとからなるＳＭＳメール送信方法。
【実施例１】
【００１９】
まず、本発明の実施例１について図１〜４により詳しく説明する。
【００２０】
キャリア網ａ中に構築されている本実施例のＳＭＳメールシステムは、ナンバーポータビリティシステムのもとにおいても、異キャリア網に属する携帯電話端末間でのＳＭＳメールの送受信を行えるようにしたもので、ＳＭＳメールの送受信機能を有する複数の加入者の携帯電話端末（以下、「端末」という。）１００，１００’，……と、プログラム制御により動作する交換機（ＧＳ（関門交換機）／ＳＴＰ（信号転送交換機））１１０と、自キャリア網ａ内の上記端末１００，１００’，……へのＳＭＳメール送信機能を有するＳＭＳＣ（Short Message Service Control）１２０と、他キャリア網のプロトコル等に関する他キャリア情報を格納した他キャリア情報データベース１３０と、他キャリア網の端末へＳＭＳメールを送信するＳＭＳメールシステム制御部１４０と、ＨＬＲ（Home Location Resister）１５０を含む。
【００２１】
上記端末１００，１００’，……は、送信先端末の電話番号（送信先電話番号）とメッセージの入力を受けこれらをＳＭＳメールとして送信する送信手段を含む。
【００２２】
上記他キャリア情報データベース１３０は、自キャリア網ａを示すキャリアコードを含む電話番号について、各電話番号ごとに、移行元キャリア，移行先キャリア，移行先キャリアのプロトコル等の情報を含む他キャリア情報（図３）を格納しており、また、問い合わせに応じて、この他キャリア情報を返す他キャリア情報返信手段を備えている。
【００２３】
上記ＨＬＲ１５０は、各端末１００，１００’，……の位置管理等を行うための加入者情報を格納した加入者情報データベース、および、各端末１００，１００’，……が、自キャリア網ａに属する現行端末であるか、他キャリア網に移行した移行端末であるかの情報を格納した移行端末データベース（図４）を備えている。
【００２４】
上記加入者情報データベースと移行端末データベースとは、互いを統合したデータベースとしてもよい。
また、さらに、上記他キャリア情報データベースを統合してもよい。
【００２５】
上記交換機１１０は、上記端末１００，１００’，……から送信されるＳＭＳメールについて、その送信先端末の電話番号に含まれるキャリアコードがいずれのキャリア網を示すものであるかを判定するキャリアコード判定手段と、自キャリア網ａを示すキャリアコードを含む各電話番号の端末が、ナンバーポータビリティシステムのもと他キャリア網に移行した移行端末であるか他キャリア網に移行することなく自キャリア網ａに属している現行端末であるかを判定する移行判定手段と、送信先端末についての上記他キャリア情報を、当該送信先端末宛のＳＭＳメールに付加して送信する情報送信手段とを含む。
上記のキャリアコード判定手段と移行判定手段とは、キャリア網判定手段を構成するものである。
【００２６】
上記ＳＭＳＣ１２０は、自キャリア網ａ内の端末１００，１００’，……へＳＭＳメールを送信するＳＭＳメール送信手段を含む。
【００２７】
上記ＳＭＳメールシステム制御部１４０は、ＳＭＳメールを他キャリア網のプロトコルにあわせてプロトコル変換して送信する、プロトコル変換・送信手段を含む。
また、他キャリア網ｂの端末１００”から自キャリア網ａの端末１００，１００’，……へのＳＭＳメールの送達結果を、当該他キャリア網ｂの送信元端末１００”に返信する、送達結果返信手段をも含む。
【００２８】
他キャリア網ｂも、上記と同様の構成を備えており（ＳＭＳメールシステム制御部１６０のみ図示し、その他は図示を省略した。）、そのＳＭＳメールシステム制御部１６０は、当該他キャリア網ｂの端末へのＳＭＳメールの送達結果をキャリア網ａの送信元端末に返信する、送達結果返信手段を含む。
【００２９】
上記構成を有するＳＭＳメールシステムによるＳＭＳメール送信方法について、図２により説明する。
この方法は、概括的には、ＳＭＳメールの送信先端末（受信端末）が属する送信先キャリア網を判定し、他キャリア情報データベースから当該送信先キャリア網のプロトコルに関する情報を含む他キャリア情報を取得するキャリア情報取得ステップと、上記ＳＭＳメールを、上記他キャリア情報に基づき上記送信先キャリア網のプロトコルにあわせてプロトコル変換して送信するプロトコル変換・送信ステップとからなるが、その処理の詳細は以下の通りである。
【００３０】
まず、送信元端末１００は交換機１１０に対しＳＭＳメールとして、送信先電話番号とメッセージとを送信する(ステップＳ１１)。
交換機１１０のキャリアコード判定手段は、送信先電話番号に含まれるキャリアコードが、いずれのキャリア網を示すものであるかを判定する（ステップＳ１２）。
【００３１】
キャリアコードが自キャリア網ａを示すものである場合には（ステップＳ１２；ＹＥＳ）、交換機１１０の移行判定手段が、ＨＬＲ１５０に保持されている移行端末データベースに対して、その送信先端末が他キャリア網に移行することなく自キャリア網ａに属している現行端末であるか、他キャリア網に移行した移行端末であるかを問い合わせ、判定する（ステップＳ１３）。
他キャリア網ｂを示すものである場合には、（ステップＳ１２；ＮＯ）ＳＭＳメールを他キャリア網ｂに送信し、該キャリア網ｂのＳＭＳメールシステムにおいて処理させる。
【００３２】
現行端末１００’であった場合（ステップＳ１３；ＹＥＳ)、交換機１１０は、ＳＭＳメールをＳＭＳＣ１２０へ転送し、そのＳＭＳメールは、ＳＭＳＣ１２０により自網内の該当する端末１００’へ送信される（ステップＳ１４）。
【００３３】
移行端末１００”であった場合（ステップＳ１３；ＮＯ）、交換機１１０は、その他キャリア網へ移行した送信先端末１００”の電話番号をキーとして、他キャリア情報データベース１３０へ該送信先端末１００”に関する他キャリア情報を問い合わせる。
【００３４】
これに対し、他キャリア情報データベース１３０は、送信先端末１００”が移行した移行先キャリア網ｂのプロトコルに関する情報を含む他キャリア情報を交換機１１０に返す（ステップＳ１５)。
交換機１１０が、上記他キャリア情報を受け取ることによってＳＭＳメールを送信すべきキャリア網が特定される。その他キャリア情報は、既に受信している上記ＳＭＳメール（送信先端末の電話番号とメッセージ）に付加され、ＳＭＳメールシステム制御部１４０へ転送される（ステップＳ１６)。
【００３５】
ＳＭＳメールシステム制御部１４０は、受け取ったＳＭＳメールの上記メッセージを、上記他キャリア情報に基づいて、キャリア網ｂのプロトコルにあわせてプロトコル変換し、該ＳＭＳメールを他キャリア網ｂのＳＭＳメールシステム制御部１６０へ送信する（ステップＳ１７）。
【００３６】
他キャリア網ｂ側のＳＭＳメールシステム制御部１６０は、受け取ったＳＭＳメールを該当する端末１００”に送信するとともに、その送達結果をＳＭＳメールシステム制御部１４０へ返信する（ステップＳ１８)。
【００３７】
上記のように、本システムでは、電話番号をキー情報として他キャリア情報データベース１３０から移行先キャリア網ｂのプロトコルに関する情報を受け取れるように構成されており、さらに、ＳＭＳメールシステム制御部１４０にて移行先キャリア網ｂのプロトコルに変換可能なように構成されているため、ナンバーポータビリティシステムのもとでも、他キャリアへＳＭＳメールの送信が可能である。
【００３８】
上記のように、キャリア網ａの他キャリア情報データベース１３０に格納されている特定の送信先端末についての他キャリア情報によれば、当該端末の移行先がキャリア網ｂであるとされている場合、ＳＭＳメールはキャリア網ｂのプロトコルに変換されてキャリア網ｂへ送信されるが、その送信先端末が、キャリア網ｂからさらに他のキャリア網へ移行していた場合には、キャリア網ｂの他キャリア情報データベースに格納されている当該端末についての他キャリア情報により、その移行先キャリア網が特定されるので、キャリア網ｂでも上記と同様の処理を行うことにより、ＳＭＳメールをさらに他のキャリア網内に移行した当該送信先端末まで到達させることができる。
【実施例２】
【００３９】
次に、本発明の実施例２について図５，６により詳しく説明する。
【００４０】
本実施例は、ＳＭＳメールを受け取る送信先端末が、受け取ったＳＭＳメールを特定の固定電話端末や携帯電話端末へ転送するよう設定している場合に、そのＳＭＳメールを、転送先の端末が属するキャリア網（固定電話キャリア網および携帯電話キャリア網を含む）のプロトコルにあわせてプロトコル変換して送信（転送）するようにしたＳＭＳメールシステムの例である。
【００４１】
キャリア網ｃ中に構築されている本実施例のＳＭＳメールシステムは、送受信機能を有する端末２００，２００’，……と、プログラム制御により動作する交換機（ＧＳ／ＳＴＰ）２１０と、自キャリア網ｃ内の上記端末２００，２００’，……へのＳＭＳメール送信機能を有するＳＭＳＣ２２０と、他キャリア網のプロトコル等に関する他キャリア情報を格納した他キャリア情報データベース２３０と、他キャリア網の端末へＳＭＳメールを送信するＳＭＳメールシステム制御部２４０と、ＨＬＲ２５０から構成される。
【００４２】
上記端末２００，２００’，……は、送信先端末の電話番号とメッセージの入力を受けこれらをＳＭＳメールとして送信する送信手段を含む。
【００４３】
上記他キャリア情報データベース２３０は、上記端末２００，２００’，……の各ユーザが任意に行うＳＭＳメールの転送設定の有無，転送先電話番号，転送先となる固定電話端末や携帯電話端末が属する転送先キャリア網，その転送先キャリア網のプロトコル等の情報を含む他キャリア情報を各電話番号ごとに格納しており、また、問い合わせに応じて、この他キャリア情報を返す他キャリア情報返信手段を含む。
【００４４】
上記ＨＬＲ２５０は、各端末２００，２００’，……の位置管理等を行うための加入者情報を格納した加入者情報データベース、および、各端末２００，２００’，……が、自キャリア網ｃに属する現行端末であるか、他キャリア網に移行した移行端末であるかの情報を格納した移行端末データベースを備えている。
【００４５】
上記交換機２１０は、上記端末２００，２００’，……から送信される上記ＳＭＳメールについて、その送信先端末の電話番号に含まれるキャリアコードがいずれのキャリア網を示すものであるかを判定するキャリアコード判定手段と、自キャリア網ｅを示すキャリアコードを含む各電話番号の端末が、ナンバーポータビリティシステムのもと他キャリア網に移行した移行端末であるか否かを判定する移行判定手段と、自キャリア網ｃを示すキャリアコードを含む各電話番号の端末について、ＳＭＳメール転送設定の有無を判定する転送設定判定手段と、その送信先端末についての上記他キャリア情報を、当該送信先端末宛のＳＭＳメールに付加して送信する情報送信手段とを含む。
上記のキャリアコード判定手段と転送設定判定手段とは、キャリア網判定手段を構成するものである。
【００４６】
ＳＭＳＣ２２０は、自キャリア網内の受信者へＳＭＳメールを送信するＳＭＳメール送信手段を含む。
【００４７】
ＳＭＳメールシステム制御部２４０は、ＳＭＳメールを転送先端末のキャリア網にあわせてプロトコル変換をして送信するプロトコル変換・送信手段を含む。
【００４８】
ＳＭＳメールの転送先キャリア網ｄも、上記と同様の構成を備えており（ＳＭＳメールシステム制御部２６０のみ図示し、その他は図示を省略した。）、そのＳＭＳメールシステム制御部２６０は、当該キャリア網ｄ内の転送先端末へのＳＭＳメールの転送結果を転送元端末に返信する、転送結果返信手段を含む。
【００４９】
上記構成を有するＳＭＳメールシステムによるＳＭＳメール送信方法について、図６により説明する。
この方法も、実施例１と同じく概括的にはキャリア情報取得ステップと、プロトコル変換・送信ステップとからなるが、その詳細は以下の通りである。
【００５０】
まず、送信元端末２００は交換機２１０に対しＳＭＳメールとして、送信先電話番号とメッセージとを送信する（ステップＳ２１)。
交換機２１０のキャリアコード判定手段は、その送信先電話番号に含まれるキャリアコードが、いずれのキャリア網を示すか判定する（ステップＳ２２）。
【００５１】
キャリアコードが自キャリア網ｃを示すものであり（ステップＳ２２；ＹＥＳ）、かつ、上記移行判定手段により、その送信先端末が他キャリア網に移行することなく自キャリア網ａに属している現行端末２００’であると判定された場合、交換機２１０の転送設定判定手段は、端末２００’のＳＭＳメールの転送設定の有無を問い合わせ（ステップＳ２３）、転送設定なしであれば（ステップＳ２３；ＮＯ）、交換機２１０は、ＳＭＳメールをＳＭＳＣ２２０へ転送する。
そして、ＳＭＳＣ２２０は自キャリア網ｃ内の送信先端末（受信端末）２００’へＳＭＳメールを送信する（ステップＳ２４)。
【００５２】
逆に、転送設定あり（ステップＳ２３；ＹＥＳ）の場合は送信先電話番号に基づいて、他キャリア情報データベース２３０へ転送先およびプロトコルの問い合わせを行う。
【００５３】
この問い合わせに対し、他キャリア情報データベース２３０は、転送設定をした端末２００’についての、転送先として設定されている端末（受信端末）２００”の電話番号や転送先キャリア網ｄのプロトコルに関する情報を含む他キャリア情報を交換機２１０に返す（ステップＳ２５)。
交換機２１０は、上記他キャリア情報を受け取り、これを、送信元端末２００から受信したＳＭＳメールに付加してＳＭＳメールシステム制御部２４０へ転送する（ステップＳ２６)。
【００５４】
ＳＭＳメールシステム制御部２４０は、受け取ったＳＭＳメールのメッセージを転送先キャリア網ｄにあわせてプロトコル変換し、その転送先キャリア網ｄの該当端末２００”へ転送する（ステップＳ２７)。
【００５５】
最後に、転送先キャリア網側のＳＭＳメールシステム制御部２６０は転送結果をＳＭＳメールシステム制御部２４０へ返信する（ステップＳ２８)。
【００５６】
なお、上記移行判定手段により移行端末であると判定された場合には、実施例１と同様に、交換機２１０は、その他キャリア網へ移行した送信先端末の電話番号に基づいて、他キャリア情報データベース２３０から該送信先端末に関する他キャリア情報を取得し該他キャリア網に送信し、該他キャリア網のＳＭＳメールシステムにおいて処理させる。
【００５７】
本実施例のＳＭＳメールシステムでは、転送先として設定した固定電話等へＳＭＳメールの転送ができる。
【実施例３】
【００５８】
次に、本発明の実施例３について図７，８により詳細に説明する。
【００５９】
本実施例は、ＳＭＳメールを受け取る送信先端末が海外の他キャリア網に属している場合に、その送信先端末の属するキャリア網に応じてプロトコル変換し、さらに、その送信先端末のユーザの使用言語等に応じてメッセージを翻訳して送信するＳＭＳメールシステムの例である。
【００６０】
キャリア網ｅ中に構築されている本実施例のＳＭＳメールシステムは、ＳＭＳメールの送受信機能を有する複数の端末３００……と、プログラム制御により動作する交換機（ＧＳ／ＳＴＰ）３１０と、自キャリア網ｅ内の上記端末３００……へのＳＭＳメール送信機能を有するＳＭＳＣ３２０と、他キャリア網のプロトコル等に関する他キャリア情報を保持する他キャリア情報データベース３３０と、他キャリアへＳＭＳメールを送信するＳＭＳメールシステム制御部３４０と、ＨＬＲ３５０とから構成されている。
【００６１】
上記端末３００……は、送信先端末の電話番号とメッセージの入力を受けこれらをＳＭＳメールとして送信する送信手段を含む。
【００６２】
上記他キャリア情報データベース３３０は、自キャリア網ｅを示すキャリアコードを含む電話番号について、各電話番号ごとに、移行元キャリア，移行先キャリア，移行先キャリアのプロトコル，使用すべきメッセージ表示言語等の情報を含む他キャリア情報を格納しており、また、問い合わせに応じて、この他キャリア情報を返す他キャリア情報返信手段を備えている。
【００６３】
上記ＨＬＲ３５０は、各端末３００……の位置管理等を行うための加入者情報を格納した加入者情報データベース、および、各端末３００……が、自キャリア網ｅに属する現行端末であるか、他キャリア網に移行した移行端末であるかの情報を格納した移行端末データベースを備えている。
【００６４】
上記交換機３１０は、上記端末３００……から送信される上記ＳＭＳメールについて、その送信先端末の電話番号に含まれるキャリアコードがいずれのキャリア網を示すものであるかを判定するキャリアコード判定手段と、自キャリア網ｅを示すキャリアコードを含む各電話番号の端末が、他キャリア網に移行することなく自キャリア網ｅに属している現行端末であるか、他キャリア網に移行した移行端末であるかを分析する移行判定手段と、送信先端末についての上記他キャリア情報を当該送信先端末宛のＳＭＳメールに付加して送信する情報送信手段とを含む。
上記のキャリアコード判定手段と移行判定手段とは、キャリア網判定手段を構成するものである。
【００６５】
上記ＳＭＳＣ３２０は、自キャリア網ｅ内の端末へＳＭＳメールを送信するＳＭＳメール送信手段を含む。
【００６６】
上記ＳＭＳメールシステム制御部３４０は、送信先にあわせてプロトコル変換、および、メッセージの上記メッセージ表示言語への翻訳を行ってＳＭＳメールを送信するプロトコル／言語変換・送信手段（プロトコル変換・送信手段）を含む。
【００６７】
ＳＭＳメールの送信先となる海外のキャリア網ｆも、上記と同様の構成を備えており（ＳＭＳメールシステム制御部３６０のみ図示し、その他は図示を省略した。）、そのＳＭＳメールシステム制御部３６０は、当該キャリア網ｆの端末へのＳＭＳメールの送達結果を送信元端末３００に返信する、送達結果返信手段を含む。
【００６８】
上記構成を有するＳＭＳメールシステムによるＳＭＳメール送信方法について、図８により説明する。
この方法も、実施例１，２と同じく、概括的にはキャリア情報取得ステップと、プロトコル変換・送信ステップとからなるが、その詳細は以下の通りである。
【００６９】
まず、送信元端末３００は交換機３１０に対しＳＭＳメールとして送信先電話番号とメッセージとを送信する（ステップＳ３１)。
【００７０】
交換機３１０のキャリアコード判定手段は、送信先電話番号に含まれるキャリアコードがいずれのキャリア網を示すものであるかを判定する（ステップＳ３２）。
自キャリア網ｅを示す場合（ステップＳ３２；ＹＥＳ）は、さらに現行端末か否かをＨＬＲ３５０に問い合わせ、（ステップＳ３３）、現行端末３００’ならば（ステップＳ３３；ＹＥＳ）、ＳＭＳメールをＳＭＳＣ３２０へ転送する。
そして、ＳＭＳＣ３２０は自キャリア網内の端末３００’へＳＭＳメールを送信する（ステップＳ３４)。
【００７１】
移行端末３００”であった場合（ステップＳ３３；ＮＯ）、他キャリア情報データベース３３０へ問い合わせを行う。
他キャリア情報データベース３３０は、その送信先端末（受信端末）３００”についての、プロトコルに関する情報および言語に関する情報を含む他キャリア情報を交換機３１０へ返す（ステップＳ３５)。
交換機３１０は、他キャリア情報を受け取り、これを既に送信側端末３００から受信しているＳＭＳメールの電話番号とメッセージに付加して、ＳＭＳメールシステム制御部３４０へ送信する（ステップＳ３６)。
【００７２】
ＳＭＳメールシステム制御部３４０のプロトコル変換・送信手段は、上記他キャリア情報に基づいて上記メッセージを送信先端末３００”が属するのキャリア網ｆに合わせプロトコル変換および言語変換して送信する（ステップＳ３７)。
【００７３】
最後に、ＳＭＳメール送信先キャリア網ｆ側のマルチキャリア対応ＳＭＳメールシステム制御部３５０は送達結果をＳＭＳメールシステム制御部３４０へ返信する（ステップＳ３８)。
【００７４】
本システムでは、ＳＭＳメールシステム制御部３４０にて送信先に合わせたプロトコルおよび言語に変換可能なように構成されているため、自国語を使用して外国へＳＭＳメールの送信ができる。
【図面の簡単な説明】
【００７５】
【図１】本発明の実施例１のＳＭＳメールシステムの全体構成図である。
【図２】同システムの動作を示すシーケンス図である。
【図３】他キャリア情報データベースの例である。
【図４】移行端末データベースの例である。
【図５】本発明の実施例２のＳＭＳメールシステムの全体構成図である。
【図６】同システムの動作を示すシーケンス図である。
【図７】本発明の実施例３のＳＭＳメールシステムの全体構成図である。
【図８】同システムの動作を示すシーケンス図である。
【符号の説明】
【００７６】
ａ〜ｆ      キャリア網
１００，１００’，１００”，２００，２００’，２００”，３００，３００’，３００”      端末
１１０，２１０，３１０      交換機（GS/STP）
１２０，２２０，３２０      ＳＭＳＣ（Short Message Service Control）
１３０，２３０，３３０      他キャリア情報データベース
１４０，２４０，３４０，１６０，２６０，３６０      ＳＭＳメールシステム制御部
１５０，２５０，３５０      ＨＬＲ（Home Location Resister）
【図１】
2007274524.tif 000003
【図２】
2007274524.tif 000004
【図３】
2007274524.tif 000005
【図４】
2007274524.tif 000006
【図５】
2007274524.tif 000007
【図６】
2007274524.tif 000008
【図７】
2007274524.tif 000009
【図８】
2007274524.tif 000010